(57)【要約】  熱伝導が改善され高い強度を有する高速コネクタインサート及びケーブルを信頼性高く製造する方法。一例のコネクタインサートは、ケーブルインサート中の回路網からの熱を除去する１つまたは複数個の熱経路を有する。一例において回路（１４０）からの熱は、回路とコネクタインサートのシールド（１５０）との間に熱経路（１６０）を形成することにより、除去される。別の熱経路は集積回路基板の一方の面に設けられ、シールド（１０３０）に直接はんだ付けされた１つ以上のパッド（１０４０）である。また、ケーブル（２３０）を取り囲む編組層（２３４）を、はんだ付けまたは他の方法により、シールド（２５０）に熱結合してもよい。別の例として、アラミド繊維（５５０）などの１種類以上の繊維を含む編組層を有するケーブルを提供する。別の例として、ワイヤコーム（９１０）及びはんだ棒（１１４０）を使用することにより製造可能性を向上する。
2013516047.tif 000002
【特許請求の範囲】
【請求項１】
コネクタインサートを製造する方法であって、
ケーブルシールド層中の複数の繊維を複数の金属ワイヤから分離するステップと、
前記複数の金属ワイヤから前記コネクタインサートのシールドに至るはんだ接続部を形成するステップと、
前記はんだ接続部を覆うようにキャップを配置するステップと、
前記キャップを捲縮するステップと、
を備えることを特徴とするコネクタインサート製造方法。
【請求項２】
前記複数の繊維はアラミド繊維であることを特徴とする請求項１記載の方法。
【請求項３】
前記ケーブルシールド層は編組層であることを特徴とする請求項１記載の方法。
【請求項４】
前記ケーブルシールド層は、複数の逆向き回りの螺旋から形成されることを特徴とする請求項１記載の方法。
【請求項５】
前記キャップは、複数の方向から力を加えることにより捲縮されることを特徴とする請求項１記載の方法。
【請求項６】
前記キャップは、４方向から力を加えることにより捲縮されることを特徴とする請求項１記載の方法。
【請求項７】
前記キャップを前記コネクタインサートにはんだ付けするステップを更に備えることを特徴とする請求項６記載の方法。
【請求項８】
プリント回路基板上の導電パッドを前記コネクタインサートの内壁にはんだ付けするステップを更に備えることを特徴とする請求項１記載の方法。
【請求項９】
前記導電パッドは前記プリント回路基板の縁部にあることを特徴とする請求項８記載の方法。
【請求項１０】
前記プリント回路基板上の能動デバイスを前記シールドに熱結合するステップを更に備えることを特徴とする請求項８記載の方法。
【請求項１１】
コネクタインサートを製造する方法であって、
ケーブル中にあり且つ非円形の形状をそれぞれ有する複数の遮蔽撚線対ワイヤを分離するステップと、
前記遮蔽撚線対ワイヤの非円形の形状に類似する非円形の形状をそれぞれ有するブロックの対応する開口部に前記遮蔽撚線対ワイヤの各々を挿入できるようにするために、前記遮蔽撚線対ワイヤの撚りを元に戻すステップと、
整形はんだ棒を使用して遮蔽撚線対ワイヤごとのシールドを基板にはんだ付けするステップと、
を備えることを特徴とする方法。
【請求項１２】
前記非円形の形状は楕円形であることを特徴とする請求項１１記載の方法。
【請求項１３】
前記非円形の形状はほぼ楕円形であることを特徴とする請求項１１記載の方法。
【請求項１４】
前記ブロックはワイヤコームであることを特徴とする請求項１１記載の方法。
【請求項１５】
前記ケーブル中の複数のワイヤを分離するステップと、
前記ワイヤを前記ブロックの対応する開口部に挿入するステップとを更に備え、
前記ワイヤ及び前記対応する開口部は少なくともほぼ円形であることを特徴とする請求項１１記載の方法。
【請求項１６】
前記整形はんだ棒は、前記複数のワイヤ及び前記複数の遮蔽撚線対ワイヤにほぼ嵌合するように整形されることを特徴とする請求項１５記載の方法。
【請求項１７】
コネクタインサート及びケーブル装置であって、
インサートシールドと、
複数の撚線対、複数のワイヤ及び前記インサートシールドに電気的に接続されたシールド層を備えるケーブルと、
前記シールド層と前記インサートシールドとの間の接続部を被覆するキャップと、
前記撚線対に対応する複数の非円形の開口部及び前記ワイヤに対応する複数のほぼ円形の開口部を有し、前記開口部を利用して前記複数の撚線対及び前記複数のワイヤが貫通するブロックと、
前記撚線対のうち少なくとも１つの撚線対に結合され且つ前記インサートシールドに接続されたパッドを有するプリント回路基板と、
前記プリント回路基板に固定され且つ前記インサートシールドに熱結合された能動デバイスと、
を備えることを特徴とするコネクタインサート及びケーブル装置。
【請求項１８】
前記ケーブルシールド送は前記インサートシールドにはんだ付けされることを特徴とする請求項１７記載のコネクタインサート及びケーブル装置。
【請求項１９】
前記複数の非円形の開口部の各々はほぼ楕円形であることを特徴とする請求項１７記載のコネクタインサート及びケーブル装置。
【請求項２０】
前記パッドは、前記プリント回路基板の一方の面に配置されることを特徴とする請求項１７記載のコネクタインサート。
【請求項２１】
前記キャップは、前記シールド層と前記インサートシールドとの間の前記接続部を覆うように捲縮されることを特徴とする請求項１７記載のコネクタインサート。
【請求項２２】
前記キャップは前記コネクタインサートにはんだ付けされることを特徴とする請求項２１記載のコネクタインサート。
【請求項２３】
前記インサートシールドの一部を被覆するプラスチック筐体を更に備えることを特徴とする請求項１７記載のコネクタインサート。
【請求項２４】
前記ケーブルシールド層は複数の繊維を備えることを特徴とする請求項１７記載のコネクタインサート。
【請求項２５】
前記複数の繊維はアラミド繊維であることを特徴とする請求項２４記載のコネクタインサート。
【発明の詳細な説明】
【技術分野】
【０００１】
電子デバイス間で転送されるデータ量は著しく増加している。高解像度ビデオなどの用途では、非常に速いデータ速度で膨大な量のデータを転送することが要求される。
【背景技術】
【０００２】
電子デバイス間の高速通信は非常に速いため、ワイヤで接続された２つのインサートから構成される単純なケーブルでは、残念ながらその用途に対応できなくなっている。そのような単純な構造のケーブルは信号を劣化させ且つスキューを発生するので、高速データ通信の信頼性が低下してしまう。
【０００３】
従って、新たなケーブルが必要とされる。このようなケーブルは、集積回路などの能動電子素子を含むという意味で能動的である。集積回路は電力を消費するので、熱を発生する。この熱はケーブル及びその回路網の信頼性を低下させると共に、ケーブルに触れた場合にユーザに不快感を与える場合もある。
【０００４】
ケーブルは、使用中に力及び機械的応力を受ける。ケーブルの複雑さを考えれば、ケーブルの強度を向上できれば効果的だろう。また、ケーブルの複雑を考慮して、製造可能性に関する問題も考慮すべき事項といえよう。
【０００５】
従って、高速通信において、信頼性をもって信号を搬送できる高速ケーブルのための回路、方法及び装置が必要とされる。また、ケーブルインサートは、ユーザの使い心地及びケーブルの信頼性を向上するように熱伝達可能である。また、ケーブルの強度が改善される。また、ケーブル及びコネクタインサートは、製造性を改善するように構成される。
【発明の概要】
【課題を解決するための手段】
【０００６】
従って、本発明の実施形態は、熱伝導が改善され且つ高い強度を有する高速コネクタインサート及びケーブルを、提供するものであり、且つ信頼性をもって製造するものである。
【０００７】
本発明の例示的な一実施形態は、熱伝導が向上したコネクタインサートを提供する。このコネクタインサートは、ケーブルインサート内の回路網から熱を除去できる経路をいくつか含む。一例において、集積回路または他のデバイスである回路とコネクタインサートのシールドとの間に熱経路を形成することにより、１つ以上の回路から熱が除去される。熱抵抗を更に減少するために、この経路は熱伝導材料を含む。別の例は、集積回路基板の一方の面に１つ以上のパッドを含む。それらのパッドは、シールドに直接はんだ付けされるが、他の方法によりシールドに熱結合される。
【０００８】
別の例において、熱伝導を改善するために、ケーブルを取り囲む編組層(braiding)がシールドにはんだ付けされるかまたは他の方法によりシールドに熱結合される。電磁妨害（ＥＭＩ）漏れを回避するために、この結合部はキャップで覆われてもよい。強固な機械的結合を実現するために、キャップは捲縮される。この捲縮は、複数の方向からキャップに力を加えることにより実行される。本発明の特定の一実施形態において、捲縮中、力は４方向からキャップに加えられる。熱伝導及び機械的信頼性を向上するために、キャップは、コネクタインサート及びケーブルのうちいずれか一方またはその双方の一部にはんだ付けされる。
【０００９】
本発明の別の例示的な実施形態は、高い強度を有するケーブルを提供する。強度の向上を実現するために、ケーブルまたはケーブルの１つ以上の導体を取り囲む編組層は、１種類以上の繊維を含む。例えば、ケーブルの周囲の編組層にアラミド繊維が含まれてもよい。編組層のはんだ付けを簡単にするために、アラミド繊維または他の繊維を引き抜くことができるように、繊維は束ねられていてもよい。本発明の種々の実施形態において、繊維は、静電気または他の機構を使用して引き抜かれてもよい。本発明の特定の一実施形態では、アラミド繊維の分離を助けるために、逆向き回りの複数螺旋から形成された編組層を使用する。
【００１０】
本発明の別の例示的な実施形態は、信頼性に優れた製造可能性を提供する。特定の一例は、ワイヤコームを使用してケーブル中の数対の撚線対導体を整列させたものである。詳細には、撚線対を整列された状態に保つために、複数の開口部を有するワイヤコームが使用される。これにより、プリント回路基板または他の適切な基板へのケーブルのはんだ付けを実行できる。本発明の種々の実施形態において、このはんだ付けは、はんだ棒を使用して確実に実行される。
【００１１】
本発明の種々の実施形態は、上記の特徴及び本明細書中で説明される他の特徴のうち１つ以上を含む。以下の詳細な説明及び添付の図面を参照することにより、本発明の性質及び利点を更によく理解できるだろう。
【図面の簡単な説明】
【００１２】
【図１】図１は、本発明の一実施形態に係るコネクタプラグを示す図である。
【図２】図２は、ケーブルとコネクタインサートシールドとの間の接続部を示す側面図である。
【図３】図３は、ケーブル編組層及びコネクタインサートシールドを接合するはんだ付け場所を覆うように配置されるキャップを示す図である。
【図４】図４は、本発明の実施形態により採用される捲縮技術を示す図である。
【図５】図５は、本発明の一実施形態に係る高速ケーブルを示す横断面図である。
【図６】図６は、本発明の一実施形態に係る撚線対を更に詳細に示す図である。
【図７】図７は、本発明の一実施形態に係るケーブルの一部を示す側面図である。
【図８】図８は、本発明の一実施形態に係るケーブルの構成を示す図である。
【図９】図９は、本発明の一実施形態に係るケーブルから出る撚線対を整列させるために使用されるワイヤコームを示す図である。
【図１０】図１０は、プリント回路基板にパッドをはんだ付けするためにはんだ付けされる複数の導体を示す図である。
【図１１】図１１は、本発明の一実施形態に係るプリント回路基板に導体をはんだ付けする方法を示す図である。
【図１２】図１２は、本発明の一実施形態に係るコネクタインサートを示す図である。
【図１３】図１３は、本発明の一実施形態に係るコネクタインサートを示す展開図である。
【発明を実施するための形態】
【００１３】
図１は、本発明の一実施形態に係るコネクタプラグを示す側面図である。図１及び本明細書に含まれる他の図は、単に例示を目的として示され、本発明の可能な実施形態または特許請求の範囲をいずれも限定しない。
【００１４】
前述のように、このプラグは、高速データ通信用能動ケーブルの一部であってもよい。従って、プラグは、電力を消費し且つ熱を発生するチップ１４０などの能動回路網を含む。発生される熱は能動回路網の信頼性を低下させ、異常な高熱になると、ユーザに不快な思いをさせる可能性がある。従って、このコネクタプラグから熱を排除することが望ましい。そのため、本発明の実施形態は、熱を消散させるための低熱抵抗経路を形成する。
【００１５】
コネクタプラグはプラグコネクタ１１０を含み、プラグコネクタ１１０はコネクタプラグ受け（図示せず）の導体と係合する。プラグコネクタ１１０は、プリント回路基板１２０に機械的に装着される。プラグコネクタ１１０は、プリント回路基板１２０上のトレースを使用してチップ１４０に電気的に接続する。プラグコネクタ及びチップ１４０は、プリント回路基板１２０上のトレースを使用してワイヤ及びケーブル１３０に接続する。筐体１７０は、シールド１５０を取り囲むために使用される。
【００１６】
チップ１４０は、このプラグにおいて熱の大半を発生する多くの回路のうちの回路の一例であってもよい。前述のように、本発明の実施形態は、熱を消散できるいくつかの経路を使用する。第１の経路として、熱はチップ１４０からシールド１５０へ直接除去される。従って、チップ１４０からシールド１５０に至る熱経路を形成するために熱導体層１６０が使用される。第２の経路として、プリント回路基板１２０へ熱を流すように、チップ１４０はプリント回路基板１２０に装着される。シールド１５０の一部に、はんだ領域１８０がはんだ付けされる。このはんだ領域１８０は、プリント回路基板１２０の側部、底部または上部のいずれにあってもよい。これにより、プリント回路基板からシールドまで熱を消散させるための低熱抵抗経路が形成される。熱はシールドからケーブルを介して消散する。本発明の特定の一実施形態において、プリント回路基板１２０の一方の面は、めっきされ且つシールドにはんだ付けされる。この場合、熱は、チップからプリント回路基板へ流れ、次に縁部のめっき部分を介してシールドへ流れ、そこからケーブル編組層を介してケーブルへ流れる。
【００１７】
第３の経路として、ケーブル（図示せず）は、このプラグから熱を放出するための経路を更に形成する。以下に説明されるように、ケーブルの編組層または他の層は、シールド１５０にはんだ付けされるかまたは他の方法によりシールド１５０に装着される。これにより、熱はケーブルを介して消散できる。本発明の他の実施形態において、液体、金属または他の材料を含む低熱抵抗経路がケーブルに含まれてもよい。
【００１８】
プラグ導体１１０はデバイスソケットに至る熱伝導経路を形成する。デバイスソケットは、プラグにおける熱の消散を更に助けるための低熱抵抗経路を形成するように設計される。
【００１９】
前述のように、コネクタインサート中の能動回路網により発生される熱の大半は、ケーブルを介する熱伝導によって除去できる。図２以降の図に、この熱除去がどのようにして実現されるかの例が示される。
【００２０】
図２は、ケーブル２３０とコネクタインサートシールド２５０との間の接続部を示す側面図である。ケーブル編組層２３４は、ケーブル２３０から引き剥がされ且つはんだ付け場所２３６でシールド２５０にはんだ付けされる。ケーブル２３０の導体（図示せず）は、シールド２５０の内側の回路網に接続する。熱絶縁を実現し且つユーザがコネクタインサートを握るための場所を形成するために、筐体２７０がシールド２５０の一部を取り囲んでいてもよい。
【００２１】
ケーブル編組層２３４がケーブル２３０から分離される間に、１つ以上の開口部２３８が形成される。例えば、シールド２５０の幅は高さより大きくてもよい。ケーブル編組層２３４の一部または全体がシールド２５０の幅に沿ってシールド２５０に装着されるので、シールド２５０の高さ（または側部）に沿って開口部２３８が残されることがある。開口部２３８を経路として、ケーブル導体（図示せず）から電磁妨害が放出される場合がある。従って、本発明の実施形態は、開口部２３８を覆うキャップまたは他の構造を使用する。その一例が次の図に示される。
【００２２】
図３は、本発明の実施形態に従ってケーブル編組層２３４とコネクタインサートシールド２５０との間に、はんだ付け場所２３６を覆うように配置されるキャップ３３９を示す。キャップ３３９は、アルミニウム、ステンレス鋼などの金属または他の材料から形成される。製造中、キャップ３３９は、はんだ付け場所２３６を覆うように配置され且つ所定の場所に保持されるように捲縮される。キャップ３３９は、更なる遮蔽及び機械的支持を実現するためにはんだ付けされる。
【００２３】
キャップ３３９を捲縮するために従来の技術を使用すると、キャップに打撃が加えられ、キャップがゆがむことにより、ケーブルを損傷してしまう場合が多い。従って、本発明の実施形態は、複数の方向に力を加えることによりキャップ３３９を捲縮する。その一例が次の図に示される。
【００２４】
図４は、本発明の種々の実施形態により採用される捲縮技術を示す。この特定の例において、ツールダイ４１０によりキャップ４３９に４方向から力が加えられる。このように力を加えることにより、キャップ４３９はほぼ対称に捲縮されるので、歩留まり、ＥＭＩ隔離及び機械的安定性は向上する。また、この方法は、他の方法を使用した場合にケーブル３３０が受けると思われる非対称の力を減少させるので、製造中のケーブル３３０内部の導体（図示せず）の損傷の危険は低下する。
【００２５】
本発明の特定の本実施形態において、力は、キャップ４３９に４方向から加えられるが、本発明の他の実施形態において、力を加える方向の数は４以外であってもよい。すなわち、２方向、３方向または５方向以上から力が加えられる。
【００２６】
前述のように、本発明の実施形態は、強度の優れたケーブルを提供できる。そのような強度の向上を実現するために、シールドまたはその１つ以上の導体を取り囲むシールドまたは編組層は、１種類以上の繊維を含む。例えば、ケーブルの周囲のシールドまたは編組層にアラミド繊維が含まれてもよい。残念ながら、アラミド繊維は、先に概要を説明したはんだ付け処理の妨げになる場合がある。編組層のはんだ付けを簡単にするために、はんだ付け処理中にアラミド繊維または他の繊維を引き出せるように、ケーブルのシールドまたは編組層の中で繊維が束ねられていてもよい。本発明の種々の実施形態において、繊維は静電気または他の機構を利用して引き抜かれてもよい。そのようなケーブルの一例が次の図に示される。
【００２７】
図５は、本発明の一実施形態に係る高速ケーブルを示す横断面図である。このケーブルは、４つの撚線対５２０及び４本の単体ワイヤ５３０を含む。撚線対５２０は、差動信号、複数の単一端信号、電力信号、接地信号、バイアス信号、制御信号、状態信号または他の種類の信号、電力線、状態線または制御線を搬送するために使用される。単体ワイヤ５３０は、単一端信号、差動信号の一方側、電力信号、接地信号、バイアス制御信号、状態信号または他の種類の信号、電力線、状態線または制御線を搬送するために使用される。本発明の他の実施形態において、本発明の実施形態に係るケーブルは、別の数の撚線対及び単体ワイヤを含む。
【００２８】
本例において、撚線対５２０及び単体ワイヤ５３０は、ケーブルを機械的に支持するために使用されるナイロンコア５６０を取り囲む。本発明の他の実施形態において、ナイロンコア５６０の代わりに、ワイヤ、１つ以上の光ファイバ回線または他の導体または繊維が使用される。それらの導体はシールドテープ５８０により取り囲まれていてもよい。
【００２９】
シールド編組層５４０はケーブルを取り囲んでもよい。ジャケット５７０は、シールド編組層５４０を取り囲み且つケーブルを機械的に支持する。前述のように、シールド編組層５４０の中で、アラミ度繊維５５０は分散されるかまたは束ねられていてもよい。シールド編組層５４０は、従来の織り混ぜ編組層であってもよく、１つ以上の逆向き回りの螺旋から形成され、または、他の種々の方法で形成される。
【００３０】
図６は、本発明の一実施形態に係る撚線対５２０を更に詳細に示す図である。撚線対５２０は、絶縁層６３０により取り囲まれた２つの導体６１０を含む。螺旋シールド６２０は、撚線対５２０を取り囲み且つ電磁妨害に対する遮蔽を実現する。螺旋シールド６２０は、シールド編組層５４０と同様に、編組層または１つ以上の逆向き回りの螺旋から形成されるが、他の方法により形成されてもよい。銅マイラーテープ層６７０が螺旋シールド６２０及び導体６１０を結合し且つ機械的に支持する。
【００３１】
前述のように、本発明の実施形態は、１つ、２つまたは３つ以上の逆向き回りの螺旋をシールドとして使用する。その一例が図７に示される。
【００３２】
図７は、本発明の一実施形態に係るケーブルの一部を示す側面図である。図７は、ジャケット７１０により取り囲まれたケーブルを示す。第１の螺旋７２０及び第１の螺旋とは逆の向きに巻いた第２の螺旋７３０を明らかに示すために、ジャケット７１０は一部切り取られている。それらの螺旋のうち第１の螺旋は、ｐｈｉ７４０にほぼ等しい角度を有する。本発明の特定の一実施形態において、ｐｈｉは１７度に等しくてもよい。本発明の他の実施形態において、他の角度が使用される。螺旋のうち第２の螺旋は、本実施形態においては異なる絶対方向を示すために負のｐｈｉ７４２として示されるほぼ同一の相対角度を有する。
【００３３】
このように、製造中、逆向き回り螺旋７２０及び７３０のワイヤを容易に引き剥がし、まっすぐに直し且つコネクタプラグの所定の場所にはんだ付けするかまたは他の方法により電気的に接続することができる。
【００３４】
逆向き回り螺旋７２０及び７３０を使用することにより、ケーブルの可撓性も改善される。例えば、ケーブルを第１の方向にねじった場合、第１の向きに巻いた螺旋７２０は締め付けられるが、逆の向きに巻いた螺旋７３０はゆるむかも知れない。第１の向きに巻いた螺旋７２０の締め付けによって、内部導体が保護できるからである。同様に、ケーブルを第２の方向にねじった場合、第２の向きに巻いた螺旋７３０は締め付けられるが、逆の向きに巻いた螺旋７２０はゆるむかも知れない。第２の向きに巻いた螺旋７３０の締め付けによって、内部導体が保護できるからである。
【００３５】
前述のように、本発明の実施形態により、異なる種類の繊維が使用される。それらの異種繊維は、１つまたはそれ以上の数の逆向き回り螺旋７２０及び７３０の中で、単独でまたは複数グループ単位で分散されてよい。このような異種繊維を挿入するのには種々の理由がある。
【００３６】
本発明の特定の一実施形態においては、強度を更に向上するためにアラミド繊維が含まれる。前述のように、アラミド繊維は、逆向き回り螺旋７２０及び７３０を、コネクタインサートのシールドまたはパッドなどにはんだ付けする処理の妨げになる場合がある。従って、本発明の種々の実施形態においては、それらの繊維は、静電気、空気の移動または他の方法により、これら逆向き回り螺旋７２０及び７３０中のワイヤから引き抜かれてもよい。
【００３７】
図７に示されるケーブルを製造する方法はいくつかある。１つの方法では、ワイヤ及び撚線対がスプールから引き出され、次に、種々の層に巻き付けられて機械的支持を実現する。ケーブルの信頼性を向上し且つケーブルが使用される場合の損傷の危険を低減するために、ケーブルの製造中に、ワイヤ及び撚線対を保持するスプールを回転する。その一例が図８に示される。
【００３８】
図８は、本発明の一実施形態に係るケーブルの構成を示す。本例において、複数のスプール８１０は導体８２０の１つをそれぞれ保持する。ケーブルが形成されていく間、スプール８１０は回転されるので、ワイヤを個別に撚ることができる。また、ワイヤを１つのワイヤ群として撚るために、スプール８１０はまとまって捻られる。例えば、スプール８１０は、ケーブルの所定の長さごとに半回転分、または一回転分または二回転分捻られるか、あるいは他の部分回転または回転数だけ捻られる。この組み合わせ捻り動作を惑星ワイヤ送りまたは惑星撚りと呼んでもよい。本発明の他の実施形態において、他の種類の組み立て方法が使用される。例えば、戻し撚りが使用されるが、撚りは使用されなくてもよい。例えば、テープ８２５を使用して種々の導体が一体に結合される。ジャケットは、場所８３０で押し出し成形されることにより、ワイヤを密封する。
【００３９】
スプール８１０は、種々の種類の導体または導体群を保持する。例えば、スプールは、単体の導体、同軸ケーブル、撚線対または遮蔽撚線対、あるいは他の種類の導体または導体群を保持する。本発明の特定の一実施形態において、１つ以上のスプール８１０の導体は、対ごとにまとめられてもよく、そのような導体は双軸(twinaxial)ケーブルまたはツインアックス(twinax)ケーブルと呼ばれる。
【００４０】
前述のように、本発明の実施形態に係るケーブルは、図５に示されるような複数の撚線対５２０及び単体ワイヤ５３０を含む。ワイヤは、図１のプリント回路基板１２０のようなコネクタインサートのプリント回路基板に接続する。しかし、撚線対５２０は、ケーブルの一端から一定の方向に延出しているわけではない。従って、撚線対５２０をプリント回路基板１２０にはんだ付けするのが難しい場合もある。そこで、本発明の実施形態は、プリント回路基板１２０へのはんだ付けを簡単にするために、撚線対５２０を整列させるためのワイヤコームを使用する。ワイヤコームを使用すると、本発明の実施形態に係るコネクタインサートの製造可能性が向上する。そのようなワイヤコームの一例が図９に示される。
【００４１】
図９は、本発明の一実施形態に係るケーブルから延出する撚線対を整列させるために使用されるワイヤコーム９１０を示す。ワイヤコーム９１０は、複数の非円形開口部９２０及び円形開口部９３０を含む。撚線対５２０は、開口部９２０に嵌合する場所に向かって撚りのない状態に戻され、次に開口部９２０に通される。単体ワイヤ５３０は開口部９３０に通される。このようにして、ケーブルのコネクタは、ワイヤコーム９１０から出てくるときに整列される。このように整列されることによって、次の図に示されるように、導体をプリント回路基板１２０にはんだ付けできる。
【００４２】
図１０は、プリント回路基板１２０のようなプリント回路基板のはんだパッド１０４０及び１０７０にはんだ付けされる複数の導体１０１０を示す。詳細には、コネクタ１０１０は、ジャケット１０２０により被覆されている。ジャケット１０２０を除去して、編組層またはシールド層１０３０を露出させる。シールド層１０３０は、パッド１０４０にはんだ付けされる。内部絶縁層１０５０を剥がすことによりコネクタ端子１０６０が露出され、その端子がパッド１０７０にはんだ付けされる。
【００４３】
導体１０１０が整列された後、シールド層１０３０を確実にパッド１０４０にはんだ付けし且つコネクタ１０６０を確実にパッド１０７０にはんだ付けすることが望ましいだろう。従って、本発明の実施形態は、はんだ付け処理中に整形はんだ棒を使用する。その一例が図１１に示される。
【００４４】
図１１は、本発明の一実施形態に係る導体をプリント回路基板にはんだ付けする方法を示す。本例において、撚線対導体１１２０は、プリント回路基板１１３０上のパッドにはんだ付けされることになる。導体１１２０を覆うように整形はんだ棒１１４０が配置される。高温棒１１１０は、例えば、高温棒１１１０の一端部から別端部へと電流を流すことにより、加熱される。高温棒１１１０の下降は、下降により整形はんだ棒１１４０が加熱されて流動し、これにより、撚線対１１２０のシールド層がプリント回路基板１１３０上のパッドにはんだ付けされるようになされる。本例において、はんだ棒１１４０が均一に加熱されるように、高温棒１１１０は凹部１１５０を含む。この構成により、撚線対１１２０のシールド編組層とプリント回路基板１１３０上のパッドとを確実にはんだ結合させることができる。
【００４５】
図１２は、本発明の一実施形態に係るコネクタインサートを示す。このコネクタインサートは、可撓性コネクタソケットに嵌合するための差し込み部分１２１０を含む。ユーザがコネクタインサートを操作できるように、筐体１２２０が含まれてもよい。図示の便宜上、応力除去部分及びケーブル１２３０も含まれている。
【００４６】
図１３は、本発明の一実施形態に係るコネクタインサートを示す展開図である。前述のように、ケーブル１３０５の導体がワイヤコーム１１４０に通される。それらの導体はプリント回路基板１３５０に装着される。プリント回路基板１３５０上には、１つ以上の回路１３５５が配置される。接点１３６５は、構造１３６０により支持され且つプリント回路基板１３５０に装着される。フレーム部分１３１０及び１３１２は、プリント回路基板１３５０及び能動回路網１３５５を封入する。筐体部分１３３２及び１３２０は、コネクタインサートの周囲に筐体を形成する。搬送中及び出荷中にコネクタインサートを保護するために、埃よけカバー１３７０が設けられる。
【００４７】
例示及び説明を目的として、上記の本発明の実施形態の説明は提示された。以上の説明は、本発明の内容を網羅することまたは説明された厳密な形態に本発明を限定することを意図せず、上記の教示に照らして多くの変更及び変形が可能である。本発明の原理及びその実際の応用形態を最もわかりやすく説明することにより、種々の実施形態において、意図される特定の用途に適合するように種々の変更を加えた上で当業者が本発明を利用できるようにするために、上記の実施形態は選択され且つ説明された。従って、本発明が添付の特許請求の範囲の範囲内に含まれるすべての変形及び均等物を含むことを意図することが理解されるだろう。
【図１】
2013516047.tif 000003
【図２】
2013516047.tif 000004
【図３】
2013516047.tif 000005
【図４】
2013516047.tif 000006
【図５】
2013516047.tif 000007
【図６】
2013516047.tif 000008
【図７】
2013516047.tif 000009
【図８】
2013516047.tif 000010
【図９】
2013516047.tif 000011
【図１０】
2013516047.tif 000012
【図１１】
2013516047.tif 000013
【図１２】
2013516047.tif 000014
【図１３】
2013516047.tif 000015
【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
コネクタインサートとケーブルとを有するケーブル組体を製造する方法であって、
前記ケーブルのシールド層中の複数の繊維を複数の金属ワイヤから分離するステップと、
前記複数の金属ワイヤ間から前記コネクタインサートのシールドに至るはんだ接続部を形成するステップと、
前記はんだ接続部を覆うようにキャップを配置するステップと、
前記キャップを捲縮するステップと、
を備えることを特徴とするコネクタインサート製造方法。
【請求項２】
前記複数の繊維はアラミド繊維であることを特徴とする請求項１記載の方法。
【請求項３】
前記ケーブルの前記シールド層は編組層であることを特徴とする請求項１記載の方法。
【請求項４】
前記ケーブルの前記シールド層は、複数の逆向き回りの螺旋から形成されることを特徴とする請求項１記載の方法。
【請求項５】
前記キャップを前記コネクタインサートにはんだ付けするステップを更に備えることを特徴とする請求項１記載の方法。
【請求項６】
プリント回路基板上の導電パッドを前記コネクタインサートの内壁にはんだ付けするステップを更に備えることを特徴とする請求項１記載の方法。
【請求項７】
前記導電パッドは前記プリント回路基板の縁部にあることを特徴とする請求項６記載の方法。
【請求項８】
前記プリント回路基板上の能動デバイスを前記シールドに熱結合するステップを更に備えることを特徴とする請求項６記載の方法。
【手続補正書】
【提出日】平成24年7月19日(2012.7.19)
【手続補正１】
【補正対象書類名】特許請求の範囲
【補正対象項目名】全文
【補正方法】変更
【補正の内容】
【特許請求の範囲】
【請求項１】
コネクタインサートとケーブルとを有するケーブル組体を製造する方法であって、
前記ケーブルのシールド層中の複数の繊維を複数の金属ワイヤから分離するステップと、
前記複数の金属ワイヤ間から前記コネクタインサートのシールドに至るはんだ接続部を形成するステップと、
前記はんだ接続部を覆うようにキャップを配置するステップと、
前記キャップを捲縮するステップと、
を備えることを特徴とするコネクタインサート製造方法。
【請求項２】
前記複数の繊維はアラミド繊維であることを特徴とする請求項１記載の方法。
【請求項３】
前記ケーブルの前記シールド層は編組層であることを特徴とする請求項１記載の方法。
【請求項４】
前記ケーブルの前記シールド層は、複数の逆向き回りの螺旋から形成されることを特徴とする請求項１記載の方法。
【請求項５】
前記キャップを前記コネクタインサートにはんだ付けするステップを更に備えることを特徴とする請求項１記載の方法。
【請求項６】
プリント回路基板上の導電パッドを前記コネクタインサートの内壁にはんだ付けするステップを更に備えることを特徴とする請求項１記載の方法。
【請求項７】
前記導電パッドは前記プリント回路基板の縁部にあることを特徴とする請求項６記載の方法。
【請求項８】
前記プリント回路基板上の能動デバイスを前記シールドに熱結合するステップを更に備えることを特徴とする請求項６記載の方法。
【請求項９】
コネクタインサートを製造する方法であって、
ケーブル中にあり且つ非円形の形状をそれぞれ有する複数の遮蔽撚線対ワイヤを分離するステップと、
前記遮蔽撚線対ワイヤの非円形の形状に類似する非円形の形状をそれぞれ有するブロックの対応する開口部に前記遮蔽撚線対ワイヤの各々を挿入できるようにするために、前記遮蔽撚線対ワイヤの撚りを元に戻すステップと、
整形はんだ棒を使用して遮蔽撚線対ワイヤごとのシールドを基板にはんだ付けするステップと、
を備えることを特徴とする方法。
【請求項１０】
前記非円形の形状は楕円形であることを特徴とする請求項９記載の方法。
【請求項１１】
前記非円形の形状はほぼ楕円形であることを特徴とする請求項９記載の方法。
【請求項１２】
前記ブロックはワイヤコームであることを特徴とする請求項９記載の方法。
【請求項１３】
前記ケーブル中の複数のワイヤを分離するステップと、
前記ワイヤを前記ブロックの対応する開口部に挿入するステップとを更に備え、
前記ワイヤ及び前記対応する開口部は少なくともほぼ円形であることを特徴とする請求項９記載の方法。
【請求項１４】
前記整形はんだ棒は、前記複数のワイヤ及び前記複数の遮蔽撚線対ワイヤにほぼ嵌合するように整形されることを特徴とする請求項１３記載の方法。
【請求項１５】
コネクタインサート及びケーブル装置であって、
インサートシールドと、
複数の撚線対、複数のワイヤ及び前記インサートシールドに電気的に接続されたシールド層を備えるケーブルと、
前記シールド層と前記インサートシールドとの間の接続部を被覆するキャップと、
前記撚線対に対応する複数の非円形の開口部及び前記ワイヤに対応する複数のほぼ円形の開口部を有し、前記開口部を利用して前記複数の撚線対及び前記複数のワイヤが貫通するブロックと、
前記撚線対のうち少なくとも１つの撚線対に結合され且つ前記インサートシールドに接続されたパッドを有するプリント回路基板と、
前記プリント回路基板に固定され且つ前記インサートシールドに熱結合された能動デバイスと、
を備えることを特徴とするコネクタインサート及びケーブル装置。
【請求項１６】
前記ケーブルシールド送は前記インサートシールドにはんだ付けされることを特徴とする請求項１５記載のコネクタインサート及びケーブル装置。
【請求項１７】
前記複数の非円形の開口部の各々はほぼ楕円形であることを特徴とする請求項１５記載のコネクタインサート及びケーブル装置。
【請求項１８】
前記パッドは、前記プリント回路基板の一方の面に配置されることを特徴とする請求項１５記載のコネクタインサート。
【請求項１９】
前記キャップは、前記シールド層と前記インサートシールドとの間の前記接続部を覆うように捲縮されることを特徴とする請求項１５記載のコネクタインサート。
【請求項２０】
前記キャップは前記コネクタインサートにはんだ付けされることを特徴とする請求項１９記載のコネクタインサート。
【請求項２１】
前記インサートシールドの一部を被覆するプラスチック筐体を更に備えることを特徴とする請求項１５記載のコネクタインサート。
【請求項２２】
前記ケーブルシールド層は複数の繊維を備えることを特徴とする請求項１５記載のコネクタインサート。
【請求項２３】
前記複数の繊維はアラミド繊維であることを特徴とする請求項２２記載のコネクタインサート。
【国際調査報告】
2013516047.tif 000016
2013516047.tif 000017
2013516047.tif 000018
2013516047.tif 000019
2013516047.tif 000020